(57)【特許請求の範囲】
【請求項１】
外輪と、内輪との間を、潤滑液体が軸方向の一方側から他方側に流れる液体潤滑式軸受装置において、
上記外輪と上記内輪との間に配置された円錐ころと、
上記円錐ころを保持し、かつ、大径側の端部と、この大径側の端部よりも小径の小径側の端部とを有する環状の保持器と、
上記内輪と上記外輪との間における潤滑液体が流入する側の開口付近に設けられると共に、上記潤滑液体の温度変化に基づいて自律的に形態を変形することによって上記開口の大きさを変動させる形態変形部材と
を備え、
上記保持器の上記小径側の端部は、径方向の内方に屈曲して延在し、
上記形態変形部材は、上記保持器の上記小径側の端部の軸方向の外方の端面に固定されるか、または、上記外輪の大径端面に固定されるか、または、上記内輪の軸方向の小径側の端部に固定されていることを特徴とする液体潤滑式軸受装置。
【請求項２】
請求項１に記載の液体潤滑式軸受装置において、
上記潤滑液体の温度が常温以下の温度領域において、上記形態変形部材は、上記潤滑液体の温度が上昇するにしたがって上記開口の大きさを減少させるように自律的に形態を変形することを特徴とする液体潤滑式軸受装置。
【請求項３】
請求項１または２に記載の液体潤滑式軸受装置において、
上記潤滑液体の温度が常温よりも所定温度以上高い温度領域において、上記形態変形部材は、上記潤滑液体の温度が上昇するにしたがって、上記開口の大きさを増大させるように自律的に形態を変形することを特徴とする液体潤滑式軸受装置。
【請求項４】
請求項１乃至３のいずれか1つに記載の液体潤滑式軸受装置において、
上記形態変形部材は、
貫通穴と、この貫通穴から径方向に延在すると共に、上記貫通穴の周方向に所定の間隔毎に設けられた複数のスリットとを有する略円板状の部材であることを特徴とする液体潤滑式軸受装置。
【請求項５】
請求項１乃至４のいずれか１つに記載の液体潤滑式軸受装置において、
上記形態変形部材は、形状が同一である一方、線膨張係数が異なる二つの部材を貼り合わせてなることを特徴とする液体潤滑式軸受装置。
【発明の詳細な説明】
【技術分野】
【０００１】
本発明は、軌道輪の軌道面と転動体とを潤滑液体で潤滑する液体潤滑式軸受装置に関する。本発明は、特に、ディファレンシャルギヤ装置、トランスミッション装置、または、トランスファー装置等のピニオン軸を有する車両用ピニオン軸支持装置の上記ピニオン軸を回転自在に支持するのに使用されれば好適な液体潤滑式軸受装置に関する。
【背景技術】
【０００２】
従来、液体潤滑式軸受装置としては、特開平１１−４８８０５号公報（特許文献１）に記載された円錐ころ軸受がある。
【０００３】
この円錐ころ軸受は、内輪と、外輪と、円錐ころとを備える。上記内輪の内周面は、ディファレンシャルギヤ装置のピニオン軸に固定されており、内輪の外周面には、円錐状の軌道面が形成されている。一方、上記外輪の外周面は、ディファレンシャルギヤ装置の内部の環状の仕切り壁に固定されており、外輪の内周面における上記内輪の軌道面に対向する部分には、円錐状の軌道面が形成されている。
【０００４】
上記円錐ころは、上記外輪の軌道面と上記内輪の軌道面との間に、保持器によって保持された状態で、周方向に一定の間隔を隔てられて複数配置されている。
【０００５】
上記円錐ころ軸受は、潤滑オイルとして、ディファレンシャルギヤ装置のリングギヤからオイル通路を介して流れてきたオイルを使用するようになっている。そして、このリングギヤからのオイルを、外輪の内周面と内輪の外周面との間を、軸方向の一方の開口から他方の開口まで流して、外輪、内輪および円錐ころの焼付を防止するようにしている。また、上記円錐ころ軸受では、オイルの流入口の近傍に障壁を設けて、この障壁でオイルの軸受内への流入を抑制して、ギヤ磨耗粉の軸受内への侵入を低減して、上記円錐ころ軸受の寿命を向上させるようにしている。
【０００６】
しかしながら、ディファレンシャルギヤ装置に使用されるオイルは、リングギヤやサイドギヤ等のディファレンシャルギヤ装置の様々なギヤの噛合部の焼付を防止するのに好適な粘性が高いオイルであるので、上記円錐ころ軸受を流れるオイルの粘性が、上記円錐ころ軸受で好適なオイルの粘性よりもかなり高く、上記障壁でオイルの流入口の大きさを、低温時の焼付きを防止するのに必要な広さに設定した場合、上記円錐ころ軸受の転がり粘性抵抗が非常に大きな値になるという問題がある。したがって、上記円錐ころ軸受の転がり粘性抵抗に起因する回転トルクの値が非常に大きな値になって、ディファレンシャルギヤ装置の機械損失が大きなものになるという問題がある。
【０００７】
一方、上記障壁でオイルの流入口の大きさを、常温において上記円錐ころ軸受の転がり粘性抵抗が問題にならない程度まで小さく設定すると、軸受内部の回転トルクを減少させることができる一方、オイルの粘性が特に高い軸受装置の始動時に、オイルが不足になる場合がある。また、軸受装置に高負荷がかかってオイルが多量に必要なときに、オイルが不足になる場合がある。
【特許文献１】特開平１１−４８８０５号公報（第１図）
【発明の開示】
【発明が解決しようとする課題】
【０００８】
そこで、この発明の課題は、潤滑液体の温度変化に基づいて潤滑液体の内部への流入量を適切に変動させることができて、トルクの低減および焼付きの抑制を実現できる液体潤滑式軸受装置を提供することにある。
【課題を解決するための手段】
【０００９】
上記課題を解決するため、この発明の液体潤滑式軸受装置は、
外輪と、内輪との間を、潤滑液体が軸方向の一方側から他方側に流れる液体潤滑式軸受装置において、
上記外輪と上記内輪との間に配置された円錐ころと、
上記円錐ころを保持し、かつ、大径側の端部と、この大径側の端部よりも小径の小径側の端部とを有する環状の保持器と、
上記内輪と上記外輪との間における潤滑液体が流入する側の開口付近に設けられると共に、上記潤滑液体の温度変化に基づいて自律的に形態を変形することによって上記開口の大きさを変動させる形態変形部材と
を備え、
上記保持器の上記小径側の端部は、径方向の内方に屈曲して延在し、
上記形態変形部材は、上記保持器の上記小径側の端部の軸方向の外方の端面に固定されるか、または、上記外輪の大径端面に固定されるか、または、上記内輪の軸方向の小径側の端部に固定されていることを特徴としている。
【００１０】
本発明によれば、上記内輪と上記外輪との間における潤滑液体（潤滑油、洗浄液等）が流入する側の開口付近に、上記潤滑液体の温度変化に基づいて自律的に形態を変形することによって上記開口の大きさを変動させる形態変形部材を備えているので、潤滑液体の温度が低い軸受装置の始動時、常温使用時および高負荷使用時において、適宜上記開口の大きさが好ましい大きさになるように、形態変形部材を適切に変動させることによって、それぞれの状態において適切な量の潤滑液体を軸受内に流入させることができる。すなわち、潤滑液体の温度変化に基づいて潤滑液体の内部への流入量を適切に変動させることができて、トルクの低減および焼付きの抑制を実現できる。
【００１１】
また、この発明によれば、形態変形部材が潤滑液体の温度に応じて自律的に形態を変形することによって、上記開口の大きさを調整するようになっているので、上記開口の大きさを調整するのに、温度センサや流量制御バルブ等の高価かつ運転コストが高い機械を必要としない。したがって、製造および運転コストを小さくできる。
【００１２】
また、一実施形態の液体潤滑式軸受装置は、上記潤滑液体の温度が常温以下の温度領域において、上記形態変形部材は、上記潤滑液体の温度が上昇するにしたがって上記開口の大きさを減少させるように自律的に形態を変形する。
【００１３】
ここで、上記常温を２５℃として定義する。
【００１４】
上記実施形態によれば、上記潤滑液体の温度が常温以下の温度領域において、上記形態変形部材は、上記潤滑液体の温度が上昇するにしたがって上記開口の大きさを減少させるように自律的に形態を変形するから、潤滑液体の温度が低い軸受装置の始動時の上記開口の大きさを常温時の上記開口の大きさよりも大きくできる。したがって、潤滑液体の温度が低い軸受装置の始動時により大きくの潤滑液体を軸受内に流入させることができて、軸受装置の始動時の焼付きを防止できる。また、上記潤滑液体の温度が常温以下の温度領域において、上記形態変形部材が、上記潤滑液体の温度が上昇するにしたがって上記開口の大きさを減少させるように自律的に形態を変形させるので、定格回転速度付近の回転速度における軸受装置のトルクを抑制できて、この液体潤滑式軸受装置を有する車両等の燃費を抑制できる。
【００１５】
また、一実施形態の液体潤滑式軸受装置は、上記潤滑液体の温度が常温よりも所定温度以上高い温度領域において、上記形態変形部材は、上記潤滑液体の温度が上昇するにしたがって、上記開口の大きさを増大させるように自律的に形態を変形する。
【００１６】
ここで、上記「開口の大きさを増大させる」という文言は、ある温度以上で開口の大きさが変化しなくなった場合も含むものとする。
【００１７】
上記実施形態によれば、上記潤滑液体の温度が常温よりも所定温度以上高い温度領域において、上記形態変形部材は、上記潤滑液体の温度が上昇するにしたがって、上記開口の大きさを増大させるように自律的に形態を変形するから、上記所定温度を適切に設定することにより、潤滑性が問題になる高負荷使用時に、潤滑液体の温度が上昇するにしたがって上記開口の大きさを増大させるようにすることができて、高負荷使用時の焼付きを防止できる。
【００１８】
また、一実施形態の液体潤滑式軸受装置は、上記形態変形部材が、貫通穴と、この貫通穴から径方向に延在すると共に、上記貫通穴の周方向に所定の間隔毎に設けられた複数のスリットとを有する略円板状の部材である。
【００１９】
上記実施形態によれば、上記形態変形部材における隣接する二つのスリットに挟まれている部分を、軸方向に反らすだけで、上記開口の大きさを変動させることができる。すなわち、上記隣接する二つのスリットに挟まれている部分が、上記本体部の延在方向に延在しているときに、上記開口の大きさを最小にすることができる一方、上記隣接する二つのスリットに挟まれている部分の軸方向への反りが大きくすることによって、上記開口の大きさを増大させることができる。したがって、容易に開口の大きさを変動させることができる。
また、一実施形態の液体潤滑式軸受装置は、上記形態変形部材は、形状が同一である一方、線膨張係数が異なる二つの部材を貼り合わせてなる。
【発明の効果】
【００２０】
本発明の液体潤滑式軸受装置によれば、軸受装置の使用状態、すなわち、始動時、通常使用時または高負荷使用時の夫々の使用時において、潤滑液体の量を適切に調整することができる。例えば、始動時および高負荷使用時に、潤滑液体の不足を防止できて、焼付きの発生を抑制できると同時に、運転状態の殆どを占める通常使用時に、トルクを低減できて、この軸受装置を有する車両等の燃費を低減できる。
【発明を実施するための最良の形態】
【００２１】
以下、この発明を図示の形態により詳細に説明する。
【００２２】
（第１実施形態）
図１は、この発明の液体潤滑式軸受装置の第1実施形態である円錐ころ軸受装置の軸方向の断面図である。
【００２３】
この円錐ころ軸受装置は、外輪１と、内輪２と、転動体の一例としての円錐ころ３と、形態変形部材５とを備える。この円錐ころ軸受装置は、図示しないディファレンシャルギヤ装置のピニオン軸を回転自在に支持している。この円錐ころ軸受装置は、外輪１と内輪２との間の開口のうちの外輪１の大端面１２側の開口７から外輪１の小端面１３側の開口に向けて、図１に矢印ＡおよびＢで示す方向に、潤滑液体の一例としての潤滑油が流れる環境下で使用されている。
【００２４】
上記外輪１は、内周側に円錐軌道面１４を有している。上記外輪１は、自動車のディファレンシャルギヤ装置のハウジング（図示しない）の内周面に内嵌されて固定されている。一方、上記内輪２は、外周側に円錐軌道面２４を有し、かつ、円錐軌道面２４の大径側に大鍔部２６を有すると共に、円錐軌道面２４の小径側に小鍔部２７を有している。上記内輪２は、上記ディファレンシャルギヤ装置のピニオン軸（図示しない）上に外嵌されて固定されている。
【００２５】
上記円錐ころ３は、外輪１の円錐軌道面１４と内輪２の円錐軌道面２４との間に、保持器４によって保持された状態で、周方向に一定の間隔を隔てられて複数配置されている。上記円錐ころ３の大径端面の一部は、内輪２の大鍔部２６に当接している一方、円錐ころ３の小径端面の一部は、内輪２の小鍔部２７に当接している。円錐ころ３は、内輪２に対して軸方向に移動不可能になっている。上記保持器４は、環状部材であり内周円錐面を有している。上記保持器４の大径側の端部４０は、略軸方向に延在している。一方、上記保持器４の小径側の端部４１は、径方向の内方に屈曲しており、径方向の内方に延在している。
【００２６】
上記形態変形部材５は、円環状の部材である。上記形態変形部材５は、線膨張係数が違う二つの金属製の円環状の部材を貼り合わせることにより形成されている。上記形態変形部材５の片側の表面の径方向の外方の部分は、保持器４の小径側の端部４１の軸方向の外方の端面４２に固定されている。この固定は、接着剤での貼着、保持器に設けた溝への嵌合、保持器に設けた複数の針状突起への圧着等によって行っている。
【００２７】
図２は、上記形態変形部材５の正面図である。
【００２８】
図２に示すように、上記形態変形部材５は、中央に貫通穴５１を有する円板形状を有している。上記形態変形部材５は、貫通穴５１につながっていると共に、形態変形部材５の径方向に延在するスリット５２を、その形態変形部材５の周方向の所定の間隔毎に有している。上記スリット５２は、貫通穴５１の縁から径方向の外方に延在しており、スリット５２の径方向の寸法は、図２の正面図において、貫通穴の縁と形態変形部材５の外周との間の距離の半分程度に設定されている。
【００２９】
上記形態変形部材５は、形態変形部材５における隣接する二つのスリット５２に挟まれている部分（以下、フラップ部という）５３を、軸方向の反りの程度を変化させることによって、開口７（図１参照）の大きさを変動させるようになっている。
【００３０】
また、上記形態変形部材５は、上記形態変形部材５におけるフラップ部５３以外の部分（以下、固定部という）５４を、保持器４の端面４２（図１参照）に固定することによって、保持器４（図１参照）に固定されるようになっている。上記フラップ部５３は、保持器４の小径側の端部の径方向の内方の端面と内輪２の小径側の端部の外周面との間（潤滑油流入側の開口７の一部である）を塞ぐように配置されている。
【００３１】
この円錐ころ軸受装置は、例えば、潤滑油の攪拌抵抗や転がり粘性抵抗を低減したい場合に、フラップ部５３を、固定部５４の延在方向に延在させて、上記開口７の大きさを最小にするようになっている。また、焼付きの心配があるディファレンシャルギヤ装置の始動時や高負荷時においては、フラップ部５３を軸方向に大きく反らせて、上記開口７の大きさが大きくなるようにしている。
【００３２】
図３は、形態変形部材５の軸方向の断面図である。詳しくは、図３（Ａ）は、低温（−３０℃付近の温度）での形態変形部材５の軸方向の断面図である。また、図３（Ｂ）は、常温周辺の温度（軸受装置の通常運転時）での形態変形部材５の軸方向の断面図である。また、図３（Ｃ）は、常温よりも所定温度である５０℃以上高い高温（高負荷使用時の温度）での形態変形部材５の軸方向の断面図である。尚、図３（Ａ）および（Ｃ）においては、理解を容易にするために、フラップ部５３の軸方向への反りを誇張して描いている。
【００３３】
図３に示すように、形態変形部材５のフラップ部５３は、低温において、図３に矢印Ｃで示す軸方向の一方に沿っている一方、常温周辺の温度では、形態変形部材５のフラップ部５３は、軸方向に反らず、略径方向に延在している。また、高温では、形態変形部材５のフラップ部５３は、図３に矢印Ｄで示す軸方向の他方に沿っている。このことから、上記実施形態の円錐ころ軸受の潤滑油流入側の開口７（図１参照）の大きさが、温度が低温から常温に温度が上昇するに従って、徐々に小さくなる一方、温度が常温から高温に上昇するに従って、徐々に大きくなることがわかる。
【００３４】
上述のように形態を変える形態変形部材５を以下のように形成する。先ず、線膨張係数のみが異なり、形状が同一（両方とも、固定部とフラップ部とを有する）の貫通穴を有する円板形状である二つの部分を用意し、次に、一方の部材の一方の表面全面と、他方の部材の一方の表面全面とを接着して形態変形部材５を形成する。ここでは、図３において、線膨張係数が大きい方の部材が左に位置するように二つの部材を接着する。また、この実施形態では、通常運転時（常温周辺の温度）にフリップ部５３が径方向に延在するように、貼り合わせる二つの部材の材料を決定する。
【００３５】
このように形態変形部材５を形成すると、低温状態においては、左側に位置する線膨張係数が大きい方の部材の収縮の度合が、右側に位置する線膨張係数が小さい方の部材の収縮の度合よりも大きくなって、図３（Ａ）に示すように、フリップ部５３が、紙面における左側、すなわち、図３（Ａ）に矢印Ｃで示す軸方向の一方の側に反ることになる。一方、低温から温度が上昇すると、左側に位置する線膨張係数が大きい方の部材の伸張の度合が、右側に位置する線膨張係数が小さい方の部材の伸張の度合よりも大きくなって、フリップ部５３の形態が、図３（Ｂ）に示す形態に変形し、その後、更なる温度上昇によって、図３（Ｃ）に示す形態に変形する。尚、この実施形態では、形態変形部材５を、線膨張係数が異なる二つの部材を貼り合わせることによって形成したが、この発明では、形態変形部材を、温度変動によって自律的に形態を変動させる形状記憶合金で形成しても良い。
【００３６】
上記第１実施形態の円錐ころ軸受装置によれば、上記軸受装置の始動時等、軸受装置が低温であるとき、上記フラップ部５３が、図３（Ａ）に示すように、上記形態変形部材５の軸方向の一方の側に自律的に形態を変形（屈曲)するので、潤滑油の流入側の開口７を大きくすることができて、軸受装置内を通過する潤滑油の流量を多くすることができる。したがって、潤滑油の粘性が高くて潤滑油が流動しにくい低温領域であっても、潤滑油の流量を多くすることができるから、軸受装置に焼付きが発生することを抑制できる。
【００３７】
また、上記第１実施形態の円錐ころ軸受装置によれば、潤滑油の温度が常温付近であるとき、図３（Ｂ）に示すように、フラップ部５３は、径方向に延在している。このとき、潤滑油の流入側の開口７は、最も狭く、開口７を通過する潤滑油の量は最も少なくなる。したがって、運転状態の殆どの状態を占め、軸受装置を有する車両等の燃費に最も影響を与える軸受装置の通常運転時における潤滑油の転がり粘性抵抗および攪拌抵抗を、格段に低減できる。したがって、通常運転時のトルクを大きく低減できて、この軸受装置を有する車両等の燃費を格段に低減できる。
【００３８】
また、上記第１実施形態の円錐ころ軸受装置によれば、潤滑油の温度が高温である軸受装置に高負荷が掛かっているときに、図３（Ｃ）に示すように、フラップ部５３が、上記軸方向の他方の側に自律的に形態を変形（屈曲）するので、開口７を広くできて、軸受装置内を通過する潤滑油の流量を多くできる。したがって、高負荷使用時の潤滑性が問題となる環境下で、潤滑油の量を多くすることができるので、軸受装置の焼付きを抑制できる。
【００３９】
また、上記第１実施形態の円錐ころ軸受装置によれば、上記形態変形部材５が、軸受装置の稼動状態を潤滑油の温度で把握し、潤滑油の温度に応じてフラップ部５３を自律的に変形させて、潤滑油の入口部の大きさを制御し、潤滑油の装置への流入量を調節するので、軸受装置内を通過する潤滑油の量を制御するのに、バルブや温度センサのような複雑な機構を必要としない。したがって、装置をコンパクトにできると共に、制御も格段に容易に行うことができ、かつ、運転および製造コストを、格段に小さくすることができる。
【００４０】
尚、上記第１実施形態では、上記軸受装置の転動体が円錐ころ３であったが、この発明では、転動体は、玉または円筒ころであっても良い。また、上記第１実施形態では、上記形態変形部材５のフラップ部５３が、潤滑油の低温時と高温時に自律的に形態を変形(屈曲)する向きが、それぞれ左側（図３（Ａ））と右側（図３（Ｃ））であったが、潤滑油の低温時と高温時に自律的に形態を変形(屈曲)する向きが、左右反対であっても良い。また、上記形態変形部材５にスリット５２を設けてフラップ部５３を形成したが、スリット５２を省略して、全体が軸方向に反るようになっている形態変形部材を採用しても良い。
【００４１】
（第２実施形態）
図４は、この発明の液体潤滑式軸受装置の第２実施形態である円錐ころ軸受装置の軸方向の断面図である。
【００４２】
第２実施形態の円錐ころ軸受装置は、形態変形部材６５の取り付け位置と、形態変形部材６５の環状幅が、第１実施形態の円錐ころ軸受装置と異なる。
【００４３】
以下、第１実施形態と異なる実施形態の軸受装置では、第１実施形態の軸受装置と共通の構成には同一番号を付して説明を省略することにする。また、第１実施形態の軸受装置と共通の作用効果および変形例についても説明を省略し、第１実施形態と異なる構成、作用効果および変形例についてのみ説明を行うことにする。
【００４４】
図４に示すように、第２実施形態では、形態変形部材６５の径方向の外方の固定部が、外輪１の大径端面の径方向の内方に固定されている。また、第２実施形態では、形態変形部材６５のフリップ部の径方向の寸法が、潤滑油が流入する側の開口６７の開口幅と略一致している（勿論、フリップ部の径方向の寸法が、開口６７の開口幅よりも若干小さい）。
【００４５】
上記第２実施形態の円錐ころ軸受装置によれば、形態変形部材６５のフリップ部の径方向の寸法が、潤滑油が流入する側の開口６７の開口幅と略一致しているので、通常運転時において、第１実施形態と比較して、潤滑油の軸受装置内への浸入を更に抑制できる。したがって、トルクを更に低減できて、この軸受装置を有する車両等の燃費を更に低減することができる。
【００４６】
（第３実施形態）
図５は、この発明の液体潤滑式軸受装置の第３実施形態である円錐ころ軸受装置の軸方向の断面図である。
【００４７】
第３実施形態の円錐ころ軸受装置は、形態変形部材７５の取り付け位置、形態変形部材７５の環状幅および形態変形部材におけるスリットの形成位置が、第１実施形態の円錐ころ軸受装置と異なる。内輪８２の軸方向の小径側の端面を２段に形成し、形態変形部材７５を、径方向の上方の端面に固定している。また、第１および第２実施形態のようにスリットを形態変形部材５,６５の径方向の内方の部分に形成するのではなく、スリットは、径方向の外方の外周面までつながるように、形態変形部材７５の径方向の外方の部分に形成されている。
【００４８】
また、第３実施形態では、形態変形部材７５の複数のフラップ部が、外周側にあるから、屈曲すると互いが重なる可能性が高くなる。したがって、上記形態変形部材７５のスリットとして、狭いＶ字状の切り欠き状のスリットが採用されている。
【００４９】
上記第３実施形態の円錐ころ軸受装置によれば、形態変形部材７５が回転軸と同期回転する内輪２に固定されている。したがって、形態変形部材７５の回転に起因する遠心力によって潤滑油を径方向の外方に流動させることができるから、潤滑油が軸受装置内に浸入することを効率的に妨害することができて、トルクの低減効果を大きくすることができる。
【００５０】
尚、上記第１〜第３実施形態では、潤滑液体が潤滑油である場合について説明を行ったが、この発明では、潤滑液体は、洗浄液等の潤滑油以外の潤滑液体であっても良いことは勿論である。
【図面の簡単な説明】
【００５１】
【図１】この発明の液体潤滑式軸受装置の第1実施形態である円錐ころ軸受装置の軸方向の断面図である。
【図２】第１実施形態の円錐ころ軸受装置が有する形態変形部材の正面図である。
【図３】上記形態変形部材の軸方向の断面図である
【図４】この発明の液体潤滑式軸受装置の第２実施形態である円錐ころ軸受装置の軸方向の断面図である。
【図５】この発明の液体潤滑式軸受装置の第３実施形態である円錐ころ軸受装置の軸方向の断面図である。
【符号の説明】
【００５２】
１  外輪
２,８２  内輪
３  円錐ころ
４  保持器
５,６５,７５  形態変形部材
７,６７  開口
５２  スリット
５３  フラップ部
【図１】
0004656000.tif 000002
【図２】
0004656000.tif 000003
【図３】
0004656000.tif 000004
【図４】
0004656000.tif 000005
【図５】
0004656000.tif 000006